(57)【特許請求の範囲】
【請求項１】
機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、
前記前枠の裏側周縁と前記遊技盤の裏側周縁には、前記遊技関連部品の取付位置を認識するための位置表示手段をそれぞれ設け、
前記前枠における前記位置表示手段と前記遊技盤における前記位置表示手段は、前記前枠と前記遊技盤の組付け整合状態でそれぞれの位置表示が一致するように設けられているパチンコ遊技機。
【請求項２】
機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、
前記外枠の裏側周縁と前記遊技盤の裏側周縁には、前記遊技関連部品の取付位置を認識するための位置表示手段をそれぞれ設け、
前記外枠における前記位置表示手段と前記遊技盤における前記位置表示手段は、前記外枠、前記前枠、及び前記遊技盤の組付け整合状態でそれぞれの位置表示が一致するように設けられているパチンコ遊技機。
【請求項３】
機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、
前記外枠の裏側周縁と前記前枠の裏側周縁には、前記遊技関連部品の取付位置を認識するための位置表示手段をそれぞれ設け、
前記外枠における前記位置表示手段と前記前枠における前記位置表示手段は、前記外枠と前記前枠の組付け整合状態でそれぞれの位置表示が一致するように設けられているパチンコ遊技機。
【請求項４】
機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、
前記外枠の裏側周縁、前記前枠の裏側周縁、及び前記遊技盤の裏側周縁には、前記遊技関連部品の取付位置を認識するための位置表示手段をそれぞれ設け、
各位置表示手段は、前記外枠、前記前枠、及び前記遊技盤の組付け整合状態でそれぞれの位置表示が一致するように設けられているパチンコ遊技機。
【請求項５】
前記各遊技関連部品のうち少なくとも１以上の部品には、当該部品の取付位置を示す位置表示が、前記位置表示手段に対応するように表示されている請求項１〜請求項４のうちいずれか１項に記載のパチンコ遊技機。
【請求項６】
前記前枠は機表側から前記外枠に組付けられるとともに、前記遊技盤は機表側から前記前枠に組付けられ、前記遊技盤の裏側には前記遊技関連部品の一つである制御基板が取付けられている請求項１〜請求項５のうちいずれか１項に記載のパチンコ遊技機。
【発明の詳細な説明】
【０００１】
【発明の属する技術分野】
本発明は、機台の裏側に複数の遊技関連部品が搭載されたパチンコ遊技機に関するものである。
【０００２】
【従来の技術】
パチンコ機やアレンジボール機に代表されるこの種の遊技機においては、機裏側にゲーム内容を制御する各種制御基板や遊技関連部品及び各基板上のコネクタに接続される配線コード等が多数装備されている。このような遊技機において、従来、各基板を新しいものに取換えるときや前記各遊技関連部品の交換が必要なときには、ホールの係員が機表側から機台を構成する前枠を開いて機構セット盤を機表側に向けたり、又は機裏側へ回って各部品等を取換えるようにしていた。又、各基板を取換えた際において基板と配線コードとを再び電気的に接続するときには、それぞれ色分けされた基板上のコネクタに同色の配線コードのコネクタを接続するようにしていた。
【０００３】
【発明が解決しようとする課題】
しかしながら、近時においては、年々遊技機の構造が多様化、複雑化しており、機裏側における部品点数等も大幅に増えてきている。その結果、遊技関連部品等の交換時に当該部品の取付位置が分かりづらく交換作業の効率が悪いという問題があった。又、配線作業時においても、各種コネクタが色分けされているとはいえ、そのコネクタの数の多さにより、差込位置を間違えて接続されてしまうという問題があった。さらに、前記各部品の取付位置に関して部品メーカーの係員がホールの係員に電話等で口答説明する際にも、その取付位置の説明がうまく伝わらないという問題があった。
【０００４】
本発明は上記した各問題を解決するためになされたものであり、その目的は、機裏側における遊技関連部品の取付位置を容易に認識することができるパチンコ遊技機を提供することにある。
【０００５】
【課題を解決するための手段】
上記問題点を解決するために、請求項１に記載の発明は、機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、前記前枠の裏側周縁と前記遊技盤の裏側周縁には、前記遊技関連部品の取付位置を認識するための位置表示手段をそれぞれ設け、前記前枠における前記位置表示手段と前記遊技盤における前記位置表示手段は、前記前枠と前記遊技盤の組付け整合状態でそれぞれの位置表示が一致するように設けられていることを要旨とする。
【０００６】
請求項２に記載の発明は、機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、前記外枠の裏側周縁と前記遊技盤の裏側周縁には、前記遊技関連部品の取付位置を認識するための位置表示手段をそれぞれ設け、前記外枠における前記位置表示手段と前記遊技盤における前記位置表示手段は、前記外枠、前記前枠、及び前記遊技盤の組付け整合状態でそれぞれの位置表示が一致するように設けられていることを要旨とする。
【０００７】
請求項３に記載の発明は、機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、前記外枠の裏側周縁と前記前枠の裏側周縁には、前記遊技関連部品の取付位置を認識するための位置表示手段をそれぞれ設け、前記外枠における前記位置表示手段と前記前枠における前記位置表示手段は、前記外枠と前記前枠の組付け整合状態でそれぞれの位置表示が一致するように設けられていることを要旨とする。
【０００８】
請求項４に記載の発明は、機体の外郭をなす外枠の開口前面側には前枠が開閉及び着脱可能に組付けられ、前記前枠には遊技盤が着脱可能に組付けられるとともに機台の裏側に配置される複数の遊技関連部品が搭載されるパチンコ遊技機であって、前記外枠の裏側周縁、前記前枠の裏側周縁、及び前記遊技盤の裏側周縁には、前記遊技関連部品の取付位置を認識するための位置表示手段をそれぞれ設け、各位置表示手段は、前記外枠、前記前枠、及び前記遊技盤の組付け整合状態でそれぞれの位置表示が一致するように設けられていることを要旨とする。
【０００９】
請求項５に記載の発明は、請求項１〜請求項４のうちいずれか１項に記載のパチンコ遊技機において、前記各遊技関連部品のうち少なくとも１以上の部品には、当該部品の取付位置を示す位置表示が、前記位置表示手段に対応するように表示されていることを要旨とする。
請求項６に記載の発明は、請求項１〜請求項５のうちいずれか１項に記載のパチンコ遊技機において、前記前枠は機表側から前記外枠に組付けられるとともに、前記遊技盤は機表側から前記前枠に組付けられ、前記遊技盤の裏側には前記遊技関連部品の一つである制御基板が取付けられていることを要旨とする。
【００１０】
【発明の実施の形態】
以下、本発明の一実施形態を図１〜図９に従って説明する。なお、以下の説明において「右」又は「左」は特に断らない限り、機裏側から見た場合の「右」又は「左」を示すものとする。
【００１１】
本実施形態のパチンコ遊技機は、図１に示すように、その基本的構成の概要として、機体の外郭をなす外枠１１の開口前面側に、搭載枠とも称される縦長方形の前枠１２（図２参照）が開閉及び着脱可能に取付けられている。前枠１２の裏側には、各種の球経路及び処理部を備えた機構セット盤１３が着脱可能にセットされ、この機構セット盤１３の略中央部には前記前枠１２にセット保持された遊技盤１４の大きさと対応する窓口１３ａが形成されている。そして、この窓口１３ａを介して機裏側に露出した前記遊技盤１４の裏面には該遊技盤１４の表面に設けられた映像表示部（図示しない）の映像内容を制御する映像表示基板１５等が取付けられている。
【００１２】
前記機構セット盤１３の裏面側において前記窓口１３ａの上方位置には、球タンク１６が設けられているとともに、同タンク１６から整流樋１７を介して貯留球が流下供給される区分供給経路部１８が前記窓口１３ａの右方領域に上下方向へ延設されている。そして、この区分供給経路部１８の下流端には球払出し装置１９が着脱可能にビス等で取着セットされ、この球払出し装置１９から賞球又は貸し球として払出された貯留球が排出経路（図示しない）を介して機表側の上球皿（図示しない）へ供給されるようになっている。
【００１３】
さらに、前記窓口１３ａの下方、即ち、機構セット盤１３の下部外側には、ゲーム内容を制御する主制御基板２０及びセーフ球検出処理と貯留球排出処理（賞球払出しと貸し球）を制御する払出し制御基板２１が並設されている。そして、主制御基板２０よりも下方位置には機表側の打球発射装置の作動状態を制御する発射制御基板２２と、スピーカから発せられる効果音を制御する音制御基板２３が設けられている。
【００１４】
尚、２４は電源部（ＡＣ２４Ｖ）に接続されるとともに賞球情報信号及び球貸し情報信号を図示しない外部コンピュータ等へ出力する外部接続端子板であり、２５は球払出し装置１９と払出し制御基板２１とを電気的に中継接続する中継基板、２６は前記外枠１１の一側縁に装備される図示しないカードユニットと払出し制御基板２１とを電気的に接続するインターフェースボードである。又、前記機構セット盤１３の裏側には前記遊技盤１４の裏側を覆うように図示しない保護カバーが前記窓口１３ａにセットされるようになっている。
【００１５】
このような本実施形態のパチンコ機の機台構成部材の一つである外枠１１について更に説明すると、図３に示すように、外枠１１は木材又は合成樹脂にて形成された略矩形状の枠体であり、その中央部は前枠１２を支持するために縦長方形状に開口している。そして、外枠１１における上部枠体１１ａの裏面にはその長手方向に亘って外枠列方向表示部２７が設けられると共に、右側枠体１１ｂの裏面には外枠行方向表示部２８が設けられている。又、外枠列方向表示部２７は、左右方向（列方向）へ等間隔をなす１１個のブロック２９に区画され、前記各ブロック２９には左側から順にＡ〜Ｋまでの大文字のアルファベット文字が刻印されている。前記Ａ〜Ｋの各ブロック２９内の上端部には、図５に示すように、その各ブロック２９内の左右方向の長さを５等分する目盛り２９ａが刻印されている。
【００１６】
一方、外枠行方向表示部２８は、上下方向（行方向）へ１４個のブロック３０，３１に区画され、前記各ブロック３０，３１には上側から順に１〜１４までのアラビア数字が刻印されている。ここで、前記２〜１３までの各ブロック３０は等間隔に区画されており、１及び１４の上下両端部に位置する両ブロック３１は他の各ブロック３０よりも上下方向に長く区画されている。そして、前記２〜１３の各ブロック３０内の左側端部にはそのブロック３０内の上下方向の長さを等間隔に５等分する目盛り３０ａが刻印されている。又、１と刻印された上端部のブロック３１は前記目盛り３０ａと同じ幅の目盛り３１ａで８等分されており、１４と刻印された下端部のブロック３１は前記目盛り３０ａと同じ幅の目盛り３１ａで１３等分されている。なお、前記両表示部２７，２８における等間隔に設けられた各ブロック２９，３０の長手方向の長さ、及び各目盛り２９ａ，３０ａの幅は互いに同じになっている。そして、この外枠１１においては、前記外枠列方向表示部２７及び外枠行方向表示部２８によりマトリックス表示方式の位置表示手段が構成されている。
【００１７】
次に、同じく機台構成部材の一つである前枠１２について更に説明すると、図４に示すように、前枠１２は合成樹脂にて形成された略矩形状の枠体であり、内側には正面縦長方形の窓枠口１２ａが開口形成されている。前枠１２裏面の上縁部及び右側縁部にはその長手方向に亘って前枠列方向表示部３２及び前枠行方向表示部３３が設けられている。前枠列方向表示部３２は、左右方向（列方向）へ等間隔をなす１１個のブロック３４に区画され、前記各ブロック３４には左側から順にＡ〜Ｋまでの大文字のアルファベット文字が刻印されている。又、前記Ａ〜Ｋの各ブロック３４内の上端部には、図６に示すように、そのブロック３４内の左右方向の長さを５等分する目盛り３４ａが刻印されている。
【００１８】
一方、前枠行方向表示部３３は、上下方向（行方向）へ等間隔をなす１４個のブロック３５に区画され、前記各ブロック３５は上側から順に１〜１４までのアラビア数字が刻印されている。又、前記１〜１４の各ブロック３５内の左側端部には、そのブロック３５内の上下方向の長さを等間隔に５等分する目盛り３５ａが刻印されている。尚、前記両表示部３２，３３における等間隔に設けられた各ブロック３４，３５の長手方向の長さ、及び各目盛り３４ａ，３５ａの幅は互いに同じになっている。そして、この前枠１２においては、前記前枠列方向表示部３２及び前枠行方向表示部３３によりマトリックス表示方式の位置表示手段が構成されている。
【００１９】
次に、同じく機台構成部材の一つである遊技盤１４について更に説明すると、図８に示すように、遊技盤１４は略矩形状のベニヤ板にて形成されている。前記遊技盤１４の裏面の上縁部及び右側縁部にはその左右方向（列方向）及び上下方向（行方向）に亘って遊技盤列方向表示部３６及び遊技盤行方向表示部３７が設けられている。遊技盤列方向表示部３６は、左右方向（列方向）へ７個のブロック３８，３９に区画され、前記各ブロック３８，３９には左側から順にＣ〜Ｉまでの大文字のアルファベット文字が刻印されている。ここで、Ｄ〜Ｈの各ブロック３８は等間隔に区画されており、左右両端部に位置するＣ及びＩの両ブロック３９は他の各ブロック３８よりも僅かに左右方向に長く区画されている。又、Ｄ〜Ｈの各ブロック３８内の下端部には、そのブロック３８内の左右方向の長さを５等分する目盛り３８ａが刻印されている。そして、Ｃ及びＩの両ブロック３９内の下端部には前記目盛り３８ａと同じ幅でそれぞれ６つ及び７つの目盛り３９ａが刻印されている。
【００２０】
一方、遊技盤行方向表示部３７は、上下方向（行方向）へ６個のブロック４０，４１に区画され、前記各ブロック４０，４１は上側から順に３〜８までのアラビア数字が刻印されている。ここで、４〜８の各ブロック４０は等間隔に区画されており、上端部に位置する３のブロック４１は他の各ブロック４０よりも僅かに上下方向に長く区画されている。又、前記４〜８の各ブロック４０内の右側端部にはそのブロック４０の上下方向の長さを５等分する目盛り４０ａが刻印されている。そして、３のブロック４１内の右側端部には前記目盛り４０ａと同じ目盛り幅で５つの目盛り４１ａが刻印されている。尚、前記両表示部３６，３７における等間隔の各ブロック３８，４０の長手方向の長さ、及び各目盛り３８ａ，４０ａの幅は互いに同じになっている。そして、この遊技盤１４においては、この前記遊技盤列方向表示部３６及び遊技盤行方向表示部３７によりマトリックス表示方式の位置表示手段が構成されている。
【００２１】
以上のように構成された外枠１１と前枠１２及び遊技盤１４について、その組付け整合時には、各表示部２７，２８，３２，３３，３６，３７を構成する夫々のブロック２９，３０，３１，３４，３５，３８，３９，４０，４１のアルファベット文字及びアラビア文字並びに目盛り２９ａ，３０ａ，３１ａ，３４ａ，３５ａ，３８ａ，３９ａ，４０ａ，４１ａは互いに一致するようになっている。ここで、図７に示すように、組付け整合時には、前枠１２は外枠１１の機表側から組付けられるため、前枠列方向表示部３２の下半部を除いて、前枠列方向表示部３２及び前枠行方向表示部３３は機裏側から見たとき外枠１１に隠れてしまうようになっている。又、図１及び図２に示すように、遊技盤１４は機表側から組付けられるため、遊技盤１４の両表示部３６，３７は機裏側から見たとき機構セット盤１３に隠れてしまうようになっている。
【００２２】
次に、遊技関連部品の一つである主制御基板２０及び払出し制御基板２１について説明すると、図９に示すように、主制御基板２０の上縁部には、例えば映像表示基板１５等の他の取付部品と電気的に接続するための複数のコネクタ４３が配置されている。前記コネクタ４３の下方位置には左右方向（列方向）に亘って位置表示手段としての主制御基板列方向表示部４４が設けられている。主制御基板列方向表示部４４にはその左右幅を５等分する区画線４５が刻印されており、区画線４５間には、ａ〜ｅの小文字のアルファベット文字が刻印されている。そして、主制御基板２０の上部左側には、該主制御基板２０の取付位置に関して、外枠１１及び前枠１２の各表示部２７，２８，３２，３３による表示方式に対応したＢ〜Ｇー９〜１２という文字が刻印されている。
【００２３】
一方、主制御基板２０と隣接する払出し制御基板２１の上縁部には、図１に示すように、例えば球払出し装置１９等の他の取付部品と電気的に接続するための複数のコネクタ４７が配置されている。前記コネクタ４７の下方位置には左右方向（列方向）に亘って位置表示手段としての払出し制御基板列方向表示部４８が設けられている。払出し制御基板列方向表示部４８にはその左右幅を５等分した区画線４９が刻印されており、区画線４９間には、ａ〜ｅの小文字のアルファベット文字が刻印されている。そして、払出し制御基板２１の上部左側には、該払出し制御基板２１の取付位置に関して、外枠１１及び前枠１２の各表示部２７，２８，３２，３３による表示方式に対応したＨ〜Ｊー１０〜１２という文字が刻印されている。
【００２４】
又、図１に示すように、同じく遊技関連部品の一つである球タンク１６の中央部には、同球タンク１６の取付位置に関して、外枠１１及び前枠１２の各表示部２７，２８，３２，３３による位置表示方式に対応したＢ〜Ｇー１という文字が刻印されており、同じように、前記映像表示基板１５の中央部には、同映像表示基板１５の取付位置に関して、外枠１１と前枠１２及び遊技盤１４の各表示部２７，２８，３２，３３，３６，３７による位置表示方式に対応したＤ〜Ｈー４〜６という文字が刻印されている。
【００２５】
次に、以上のように構成された本実施形態の作用を説明する。
まず、機表側から交換作業等をする場合について説明する。パチンコ機に何か不具合が起こり、機表側から部品交換をする場合においては、ホールの係員は客座席が並設された通路側から前枠１２を開いて機構セット盤１３を機表側に向け、取付けられている部品を外して予備部品と交換する。このとき、図２に示すように、前枠１２の上縁部及び右側縁部には前枠列方向表示部３２及び前枠行方向表示部３３が設けられているため、その交換する部品の位置から上方及び右方へ直線上にたどっていくことにより、位置表示用のアルファベット文字及びアラビア文字が確認される。この結果、ホールの係員は取り外す部品の位置が容易に確認でき、部品交換をする際にどこに取付ければよいのかがすぐに分かる。
【００２６】
そして、遠隔場所から無線や電話を用いて、部品交換をしているホールの係員に指示をする際は、指示者はホールの係員に対して、その部品の取付位置を前枠列方向表示部３２及び前枠行方向表示部３３のアルファベット文字及びアラビア文字にて、例えば、「Ｈ列の１０行に位置する部品」というように指示する。すると、ホールの係員はそのアルファベット文字及びアラビア文字から下方及び左方へ直線上にたどっていき、その直線同士が互いに交差する位置を探すことにより、取付部品の位置を容易に見つけだせる。そして、取付部品が小さく、アルファベット文字及びアラビア文字における指示でも分かりづらい場合には、各ブロック３４，３５に設けられている目盛り３４ａ，３５ａを用いて、その取付部品の位置が指示されることにより、確実に指示者の意図する取付部品の位置は認識される。
【００２７】
又、機表側から例えば球タンク１６等の各遊技関連部品を組付ける際においては、球タンク１６をはじめとする各遊技関連部品上に予め刻印されている当該部品の取付位置に関する位置表示用文字を利用する。そして、その表示されているアルファベット文字及びアラビア文字を前枠１２の両表示部３２，３３におけるアルファベット文字及びアラビア文字と一致させることにより、前記各部品は容易に組付けられる。
【００２８】
さらに、組付けられた主制御基板２０又は払出し制御基板２１に対して配線作業をするときは、コネクタ４３，４７の下方に位置する主制御基板列方向表示部４４又は払出し制御基板列方向表示部４８のアルファベット文字を見ることにより、その配線接続の位置は容易に認識される。即ち、例えば、指示者が主制御基板２０及び払出し制御基板２１上の任意のコネクタ４３，４７を指示したいときには、そのコネクタ４３，４７の下方位置の位置表示用アルファベット文字を指定することにより、ホールの係員にはどのコネクタ４３，４７に配線するかが容易に理解される。このとき、主制御基板２０及び払出し制御基板２１の両表示部４４，４８の位置表示用アルファベット文字は、一番最初の文字であるａから刻印されているため、ホールの係員がコネクタ４３，４７部分だけを集中して見ていても、そのコネクタ４３，４７の場所が容易に把握され得る。
【００２９】
次に、機表側からでは不都合があり、機裏側から交換作業等をする場合について説明する。まず、部品交換をする場合においては、ホールの係員は機裏側に回り、外枠１１に対して前枠１２が閉じられた状態で作業をする。このとき、図１に示すように、前枠１２の両表示部３２，３３は外枠１１によりほとんど隠れてしまうが、同外枠１１には外枠列方向表示部２７及び外枠行方向表示部２８が設けられている。その上、外枠１１の両表示部２７，２８のアルファベット文字及びアラビア文字は組付け整合状態で前枠１２の両表示部３２，３３におけるアルファベット文字及びアラビア文字と一致している。この結果、ホールの係員は前枠１２を開いて部品交換する際と同様のアルファベット文字及びアラビア文字、又はそれに加えて各ブロック２９，３０，３１に設けられている目盛り２９ａ，３０ａ，３１ａから取付部品の位置を容易に認識し交換する。
【００３０】
又、機裏側から例えばタンク１６等の各遊技関連部品を組付ける際においても、前記各部品上の位置表示用文字を利用する。そして、その表示されているアルファベット文字及びアラビア文字を外枠１１の両表示部２７，２８に刻印されているアルファベット文字及びアラビア文字と一致させることにより、容易に組付けられる。
【００３１】
さらに、遊技盤１４のように、単体で持ち運びが容易であるものについては、他の場所に移動させて部品交換をする場合がある。このような場合においては、遊技盤１４の両表示部３６，３７のアルファベット及びアラビア文字、又はそれに加えて各ブロック３８，３９，４０，４１に設けられている目盛り３８ａ，３９ａ，４０ａ，４１ａを用いることにより交換する取付部品の位置は認識される。このとき、遊技盤１４の両表示部３６，３７のアルファベット文字及びアラビア文字は組付け整合状態で前枠１２及び外枠１１の各表示部２７，２８，３２，３３におけるアルファベット文字及びアラビア文字と一致している。従って、他の場所に移動させても、組付け整合状態のときと同じ位置表示内容で取付位置は表されるため、ホールの係員により取付位置が容易に把握され、部品交換される。
【００３２】
従って、上記実施形態によれば、以下のような効果を得ることができる。
（１）上記実施形態では、前枠１２裏面の上縁部及び右側縁部に、前枠列方向表示部３２及び前枠行方向表示部３３が設けられているため、機表側から前枠１２を開いて取付位置を認識する際に、取付部品の上方及び右方に刻印されているアルファベット文字及びアラビア文字により取付位置を容易に認識することができ、口答での取付位置の説明の際でも、その位置表示用アルファベット文字及びアラビア文字で指示されることにより容易に取付位置を把握することができる。
【００３３】
（２）上記実施形態では、外枠１１裏面の上縁部及び右側縁部には、外枠列方向表示部２７及び外枠行方向表示部２８設けられているため、機裏側から取付部品の上方及び右方に刻印されているアルファベット及びアラビア文字により、取付位置を容易に認識することができ、口答での取付位置の説明の際でも、その位置表示用アルファベット文字及びアラビア文字で指示されることにより容易に取付位置を把握することができる。
【００３４】
（３）上記実施形態では、遊技盤１４裏面の上縁部及び右側縁部には遊技盤列方向表示部３６及び遊技盤行方向表示部３７が設けられているため、遊技盤１４のみを違う場所に移動させても、取付部品の上方及び右方に刻印されているアルファベット文字及びアラビア文字により取付位置を容易に認識することができ、口答での取付位置の説明の際でも、その位置表示用アルファベット文字及びアラビア文字で指示されることにより容易に取付位置を把握することができる。
【００３５】
（４）上記実施形態では、機台構成部材たる外枠１１と前枠１２及び遊技盤１４の各表示部２７，２８，３３，３４，３６，３７は組付け整合状態において各位置表示用アルファベット文字及びアラビア文字同士が一致するため、どの構成部材を基準として取付部品を見ても、その部品の取付位置は同様に言い表され、取付位置を容易に把握できる。
【００３６】
（５）上記実施形態では、コネクタ４３，４７が設けられている主制御基板２０及び払出し制御基板２１には、主制御基板列方向表示部４４及び払出し制御基板列方向表示部４８が設けられているため、各表示部４４，４８に刻印されている位置表示用アルファベット文字から任意のコネクタ４３，４７の位置を容易に把握でき、コネクタ４３，４７の数が多くても確実に配線接続できる。
【００３７】
（６）上記実施形態では、外枠１１と前枠１２及び遊技盤１４の各ブロック２９，３０，３１，３４，３５，３８，３９，４０，４１内には目盛り２９ａ，３０ａ，３１ａ，３４ａ，３５ａ，３８ａ，３９ａ，４０ａ，４１ａが刻印されていたため、小さい部品を取付ける際でも詳しく部品の場所を言い表すことができ、更に容易に部品の位置を認識できる。
【００３８】
（７）上記実施形態では、例えば球タンク１６等の遊技関連部品には、予め当該部品の取付位置に関する位置表示用アルファベット文字及びアラビア文字が記してあるため、パチンコ機を組付けたことがないホールの係員が組付け作業をする場合においても、誤って違う場所に組付けることなく、確実に所定の場所に組付けることができる。
【００３９】
（８）上記実施形態では、外枠１１と前枠１２及び遊技盤１４の各表示部２７，２８，３２，３３，３６，３７に記されている文字は列方向がアルファベット文字であり、行方向がアラビア文字というように、列方向と行方向で文字（又は符号）の種類が互いに異なっているため、取付部品の位置を指示される際に列方向又は行方向の位置が誤って伝達されることがない。
【００４０】
（９）上記実施形態では、主制御基板２０及び払出し制御基板２１における主制御基板列方向表示部４４及び払出し制御基板列方向表示部４８のアルファベット文字はアルファベットの最初の文字であるａから始まっているため、コネクタ４３，４７部分にだけ集中しながら配線接続する際でも、所望のコネクタ４３，４７の位置が容易に把握できる。
【００４１】
なお、上記実施形態は以下のような別例に変更して具体化してもよい。
・上記実施形態では、外枠１１と前枠１２と遊技盤１４と主制御基板２０及び払出し制御基板２１に各表示部２７，２８，３２，３３，３６，３７，４４，４８が直接刻印されていたが、これは印刷など他の手段によってもよい。又、シール等の他の部材に取付位置を認識させる位置表示用文字等を表記して外枠１１等に貼着させてもよい。このようにすれば、位置表示手段が設けられていない既存のパチンコ機にも容易に位置表示手段を取付けることができる。
【００４２】
・上記実施形態では、外枠１１等の機台構成部材に各表示部２７，２８等は直接刻印されていたが、機台構成部材とは異なる別部材、例えばＬ字形状をなす枠体に位置表示用文字をマトリックス方式で表記し、その枠体を機裏側で外枠１１の縁部に取付けてもよい。このようにしても、位置表示手段が設けられていない既存のパチンコ機に容易に位置表示手段を取付けることができる。その上、前述したシールと異なり、破れたり、時間の経過とともに、接着力が弱くなったりすることもなく、長期間使用できる。
【００４３】
・上記実施形態では、外枠１１等における各表示部２７等のブロック２９に取付部品の位置を特定するための位置表示用文字としてアルファベット又はアラビア文字が刻印されていたが、位置表示のためには文字表記によらず、各ブロック２９等を色分けしたり、他の符号若しくは記号等を用いてもよい。
【００４４】
・上記実施形態では、外枠１１と前枠１２及び遊技盤１４の各表示部２７，２８，３２，３３，３６，３７は組付け整合状態において各位置表示用のアルファベット及びアラビア文字同士が一致するようにされていたが、各表示部２７，２８，３２，３３，３６，３７の文字が一致しないようにしてもよい。このようにすれば、各部材ごとに端部から、例えばアルファベットのＡ（又はａ）のように、その文字順の最初となる文字から並べることができ、単体で扱った場合にその中に取付けられている部品の位置を把握しやすい。
【００４５】
・上記実施形態では、外枠１１と前枠１２と遊技盤１４と主制御基板２０及び払出し制御基板２１に各表示部２７，２８，３２，３３，３６，３７，４４，４８を設けていたが、外枠１１だけに、若しくは前枠１２だけに設けてもよい。
【００４６】
・上記実施形態では、外枠１１と前枠１２及び遊技盤１４の列方向及び行方向における各表示部２７，２８，３２，３３，３６，３７の位置表示用文字は互いに文字種類が異なっていたが、同じ文字種類にしてもよい。
【００４７】
・上記実施形態では、外枠１１と前枠１２と遊技盤１４と主制御基板２０及び払出し制御基板２１に各表示部２７，２８，３２，３３，３６，３７，４４，４８は設けられていたが、それらの部材に限定することなく、他の部材にも行方向又は列方向の表示部を設けてもよい。
【００４８】
・上記実施形態では、外枠１１と前枠１２及び遊技盤１４の上縁部及び右側縁部に各表示部２７，２８，３２，３３，３６，３７が設けられていたが、表示部を設ける場所は限定することなく、下縁部若しくは左側縁部等でもよい。
【００４９】
・上記実施形態では各表示部２７，２８，３２，３３，３６，３７，４４，４８のブロック２９，３０，３１，３４，３５，３８，３９，４０，４１の数と目盛り２９ａ，３０ａ，３１ａ，３４ａ，３５ａ，３８ａ，３９ａ，４０ａ，４１ａの数及び区画線４５，４９の数は、所定の数が用いられたが、上記の数に限定されることなく、多くしても少なくしてもよい。
【００５０】
・上記実施形態では、外枠１１及び前枠１２並びに遊技盤１４における両表示部２７，２８，３２，３３，３６，３７の等間隔に区画されている各ブロック２９，３０，３４，３５，３８，４０の長さ及び目盛り２９ａ，３０ａ，３４ａ，３５ａ，３８ａ，４０ａの幅は互いに同じになるように形成されていたが、行方向表示部２７，３２，３６及び列方向表示部２８，３３，３７でその長さ及び幅は異なっていてもよい。
【００５１】
・上記実施形態では、球タンク１６等の４つの遊技関連部品にしか取付位置に関する位置表示用文字が刻印されていないが、他の遊技関連部品にも各表示部２７，２８，３２，３３，３６，３７による位置表示方式に対応した位置表示用文字を刻印してもよい。
【００５２】
次に、上記実施形態及び各別例から把握できる請求項に記載した発明以外の技術的思想について、それらの効果と共に以下に記載する。
（１）構成部材は複数であり、その構成部材における各位置表示手段は、組付け整合時の状態でそれぞれの位置表示が互いに異なっているパチンコ遊技機。このようにすれば、組付け整合時の状態でそれぞれの位置表示を一致させる場合とは逆に、各部材ごとにその端部より最初となる文字又は記号から始められるので、単体で扱ったときに、位置の把握がしやすい。
【００５３】
（２）位置表示手段は、行方向及び列方向で互いに異なる符号が設けられているパチンコ遊技機。このようにすれば取付位置を指示する際に行方向と列方向の表示が入れ替わるというような誤った伝達がなされるおそれがない。
【００５４】
【発明の効果】
以上詳述したように、各請求項の発明によれば、機台の裏側に配置される遊技関連部品の取付位置を容易に認識することができる。
【図面の簡単な説明】
【図１】  本実施形態におけるパチンコ機を略示する背面図。
【図２】  同じく外枠を外した状態でのパチンコ機を略示する背面図。
【図３】  同じく外枠を示す背面図。
【図４】  同じく前枠を示す背面図。
【図５】  同じく外枠を示す要部拡大背面図。
【図６】  同じく前枠を示す要部拡大背面図。
【図７】  同じく外枠と前枠の組付け関係を示す背面図。
【図８】  同じく遊技盤を示す要部背面図。
【図９】  同じく主制御基板を示す要部背面図。
【符号の説明】
１１…外枠（構成部材）、１２…前枠（構成部材）、１４…遊技盤（構成部材）、１５…映像表示基板（遊技関連部品）、１６…球タンク（遊技関連部品）、２０…主制御基板（遊技関連部品）、２１…払出し制御基板（遊技関連部品）、２７…外枠列方向表示部（位置表示手段）、２８…外枠行方向表示部（位置表示手段）、３２…前枠列方向表示部（位置表示手段）、３３…前枠行方向表示部（位置表示手段）、３６…遊技盤列方向表示部（位置表示手段）、３７…遊技盤行方向表示部（位置表示手段）、４４…主制御基板列方向表示部（位置表示手段）、４８…払出し制御基板列方向表示部（位置表示手段）。
【図１】
0004188519.tif 000002
【図２】
0004188519.tif 000003
【図３】
0004188519.tif 000004
【図４】
0004188519.tif 000005
【図５】
0004188519.tif 000006
【図６】
0004188519.tif 000007
【図７】
0004188519.tif 000008
【図８】
0004188519.tif 000009
【図９】
0004188519.tif 000010